(57)【要約】  【課題】用紙を押さえやすく、操作性にすぐれ、好適に綴じ部材を取り除くことができる綴じ部材リムーバを提供する。  【解決手段】複数枚の用紙を綴じた綴じ部材を前記用紙から取り除くための綴じ部材リムーバであり、前記用紙に添接する押さえ部材を有した上ハンドルと、前記上ハンドルの下側に配された下ハンドルと、前記綴じ部材と係わり合い前記下ハンドルの操作によって前記綴じ部材に上方向の力を加える引き上げ部材とを備えている。押さえ部材が、左右の押さえ部を備えており、これら左右の押さえ部間に前記引き上げ部材の引き上げ部が配されている。【選択図】図１
2017136647.tif 000002
【特許請求の範囲】
【請求項１】
複数枚の用紙を綴じた綴じ部材を前記用紙から取り除くための綴じ部材リムーバであって、
前記用紙に添接する押さえ部材を有した上ハンドルと、前記上ハンドルの下側に配された下ハンドルと、前記綴じ部材と係わり合い前記下ハンドルの操作によって前記綴じ部材に上方向の力を加える引き上げ部材とを備えており、
前記押さえ部材が、左右の押さえ部を備えており、これら左右の押さえ部間に前記引き上げ部材の引き上げ部が配されている綴じ部材リムーバ。
【請求項２】
前記押さえ部材が、前記左右の押さえ部と、これら左右の押さえ部の前端部同士を連結した先端部とを備えており、
これら左右の押さえ部と前記先端部とが、前記綴じ部材の内側に挿入されるように構成されている請求項１記載の綴じ部材リムーバ。
【請求項３】
前記引き上げ部の厚み寸法が、前記左右の押さえ部の厚み寸法と略同一又はそれよりも小さな値に設定されている請求項１又は２記載の綴じ部材リムーバ。
【請求項４】
前記引き上げ部材の上側に配され当該引き上げ部材と協働して前記綴じ部材を挟持し得る上押さえ部材を備えている請求項１、２又は３記載の綴じ部材リムーバ。
【請求項５】
前記引き上げ部材の上側に配され当該引き上げ部材と協働して前記綴じ部材を挟持し得る上押さえ部材を備えており、
前記下ハンドルの操作端を前記上ハンドルの方向に操作することにより、前記引き上げ部材が、前記上押さえ部材との離間距離が漸次小さくなるように移動し得るように構成されている請求項１、２、３又は４記載の綴じ部材リムーバ。
【請求項６】
前記引き上げ部材の上側に配され当該引き上げ部材と協働して前記綴じ部材を挟持し得る上押さえ部材を備えており、
前記上押さえ部材が、弾性体によって前記引き上げ部材方向に付勢されている請求項１、２、３、４又は５記載の綴じ部材リムーバ。
【請求項７】
前記上ハンドルと下ハンドルとの間に、初期状態において前記引き上げ部の上面を前記左右の押さえ部の上面と略面一になる位置又は前記左右の押さえ部よりも低い位置に位置させる位置決め機構が設けられている請求項１、２、３、４、５又は６記載の綴じ部材リムーバ。
【請求項８】
前記引き上げ部材の上側に配され当該引き上げ部材と協働して前記綴じ部材を挟持し得る上押さえ部を有した上押さえ部材を備えており、
前記引き上げ部と前記上押さえ部とが離間した初期状態と、前記引き上げ部が前記上押さえ部と協働して前記綴じ部材を挟み得る挟み状態とを採り得るように構成されている請求項１、２、３、４、５、６又は７記載の綴じ部材リムーバ。
【請求項９】
前記引き上げ部材の上側に配され当該引き上げ部材と協働して前記綴じ部材を挟持し得る上押さえ部を有した上押さえ部材を備えており、
前記引き上げ部と前記上押さえ部とが離間した初期状態と、前記綴じ部材を引き上げた引き上げ部と前記上押さえ部とが協働して前記綴じ部材を挟み得る挟み状態と、前記綴じ部材を挟んだ状態にある前記引き上げ部材と上押さえ部材とが前記綴じ部材を前記用紙から引き抜く方向に一体的に移動する引き抜き状態とを採り得るように構成されている請求項１、２、３、４、５、６、７又は８記載の綴じ部材リムーバ。
【発明の詳細な説明】
【技術分野】
【０００１】
本発明は、ステープル等の綴じ部材を用紙から取り除くために使用される綴じ部材リムーバに関する。
【背景技術】
【０００２】
従来から、複数枚の用紙を綴じたステープルを当該複数枚の用紙から取り除くために使用される綴じ部材リムーバが知られている（例えば、特許文献１を参照）。
【０００３】
ステープルを取り外すための主な態様としては、ステープルにおける中間部の上面に、ステープル用押さえ部材を押さえ付け、その後、把手を操作することによって前記ステープル用押さえ部材を下方向に移動させることにより行われる。当該ステープルの両端部は、左右の挿入部材によって下方への移動が阻止されている。ステープル用押さえ部材により下方向に押圧されたステープルの中間部は、下方に向かって凸をなすように変形し、用紙（段ボール）から取り除かれる。
【０００４】
ところが、このようなものでは、上から下に動いて押圧するステープル用押さえ部材が、把手の操作によって用紙側に達してしまうことがあり、用紙を局所的に凹ませてしまったり傷つけてしまったりするおそれがあった。
【０００５】
なお、以上の事情は、金属製のステープルに限られるものではなく、種々の材質により作られたステープルや、その他、紐状やテープ状をなす綴じ部材を用紙から取り除く場合においても同様である。
【先行技術文献】
【特許文献】
【０００６】
【特許文献１】実開平２−９００７４号公報
【発明の概要】
【発明が解決しようとする課題】
【０００７】
本発明は、以上のような事情に着目してなされたもので、用紙を押さえやすく、操作性にすぐれ、好適に綴じ部材を取り除くことができる綴じ部材リムーバを提供することにある。
【課題を解決するための手段】
【０００８】
すなわち、本発明は次の構成をなしている。
【０００９】
請求項１に係る発明は、複数枚の用紙を綴じた綴じ部材を前記用紙から取り除くための綴じ部材リムーバであって、前記用紙に添接する押さえ部材を有した上ハンドルと、前記上ハンドルの下側に配された下ハンドルと、前記綴じ部材と係わり合い前記下ハンドルの操作によって前記綴じ部材に上方向の力を加える引き上げ部材とを備えており、前記押さえ部材が、左右の押さえ部を備えており、これら左右の押さえ部間に前記引き上げ部材の引き上げ部が配されている綴じ部材リムーバである。
【００１０】
請求項２に係る発明は、前記押さえ部材が、前記左右の押さえ部と、これら左右の押さえ部の前端部同士を連結した先端部とを備えており、これら左右の押さえ部と前記先端部とが、前記綴じ部材の内側に挿入されるように構成されている請求項１記載の綴じ部材リムーバである。
【００１１】
請求項３に係る発明は、前記引き上げ部の厚み寸法が、前記左右の押さえ部の厚み寸法と略同一又はそれよりも小さな値に設定されている請求項１又は２記載の綴じ部材リムーバである。
【００１２】
請求項４に係る発明は、前記引き上げ部材の上側に配され当該引き上げ部材と協働して前記綴じ部材を挟持し得る上押さえ部材を備えている請求項１、２又は３記載の綴じ部材リムーバである。
【００１３】
請求項５に係る発明は、前記引き上げ部材の上側に配され当該引き上げ部材と協働して前記綴じ部材を挟持し得る上押さえ部材を備えており、前記下ハンドルの操作端を前記上ハンドルの方向に操作することにより、前記引き上げ部材が、前記上押さえ部材との離間距離が漸次小さくなるように移動し得るように構成されている請求項１、２、３又は４記載の綴じ部材リムーバである。
【００１４】
請求項６に係る発明は、前記引き上げ部材の上側に配され当該引き上げ部材と協働して前記綴じ部材を挟持し得る上押さえ部材を備えており、前記上押さえ部材が、弾性体によって前記引き上げ部材方向に付勢されている請求項１、２、３、４又は５記載の綴じ部材リムーバである。
【００１５】
請求項７に係る発明は、前記上ハンドルと下ハンドルとの間に、初期状態において前記引き上げ部の上面を前記左右の押さえ部の上面と略面一になる位置又は前記左右の押さえ部よりも低い位置に位置させる位置決め機構が設けられている請求項１、２、３、４、５又は６記載の綴じ部材リムーバである。
【００１６】
請求項８に係る発明は、前記引き上げ部材の上側に配され当該引き上げ部材と協働して前記綴じ部材を挟持し得る上押さえ部を有した上押さえ部材を備えており、前記引き上げ部と前記上押さえ部とが離間した初期状態と、前記引き上げ部が前記上押さえ部と協働して前記綴じ部材を挟み得る挟み状態とを採り得るように構成されている請求項１、２、３、４、５、６又は７記載の綴じ部材リムーバである。
【００１７】
請求項９に係る発明は、前記引き上げ部材の上側に配され当該引き上げ部材と協働して前記綴じ部材を挟持し得る上押さえ部を有した上押さえ部材を備えており、前記引き上げ部と前記上押さえ部とが離間した初期状態と、前記綴じ部材を引き上げた引き上げ部と前記上押さえ部とが協働して前記綴じ部材を挟み得る挟み状態と、前記綴じ部材を挟んだ状態にある前記引き上げ部材と上押さえ部材とが前記綴じ部材を前記用紙から引き抜く方向に一体的に移動する引き抜き状態とを採り得るように構成されている請求項１、２、３、４、５、６、７又は８記載の綴じ部材リムーバである。
【発明の効果】
【００１８】
以上説明したように本発明によれば、用紙を押さえやすく、操作性にすぐれ、好適に綴じ部材を取り除くことができる綴じ部材リムーバを提供することができるものとなる。
【図面の簡単な説明】
【００１９】
【図１】本発明の一実施形態を示す斜視図。
【図２】同実施形態における平面図。
【図３】同実施形態における右側面図。
【図４】同実施形態における右側面図。
【図５】同実施形態における右側面図。
【図６】同実施形態における右側面図。
【図７】同実施形態における平面図。
【図８】同実施形態における概略的な分解斜視図。
【図９】同実施形態における上押さえ部材の斜視図。
【図１０】同実施形態における部分拡大右側面図。
【発明を実施するための形態】
【００２０】
以下、本発明の一実施形態を、図１〜１０を参照して説明する。
【００２１】
この実施形態は、本発明を、複数枚の用紙Ｐを綴じた綴じ部材であるステープルＳを、当該複数枚の用紙Ｐから取り除くための綴じ部材リムーバたるステープルリムーバＲに適用したものである。なお、図７では、説明の便宜のため、上押さえ部材Ｄを省略して示している。
【００２２】
ステープルＳは、複数枚の用紙Ｐを綴じた状態において、用紙Ｐの一面側に位置し略直線状に延びたクラウン部ｓ１と、このクラウン部ｓ１の左右両端に連続して設けられ、綴じた状態において主に用紙Ｐの内部及び他面側に位置する貫通端部ｓ２とを備えたものである。本実施形態におけるステープルＳは、金属により製造された通常のものである。ステープルＳは、未使用状態において略コ字状をなしており、図示しないステープラによる綴じ操作の過程で、貫通端部ｓ２が変形し、その結果、最終的に複数枚の用紙Ｐを綴じることができるようになっている。
【００２３】
ステープルリムーバＲは、用紙Ｐに添接する押さえ部材Ａ２を有した上ハンドルＡと、上ハンドルＡの下側に配された下ハンドルＢと、ステープルＳと係わり合い下ハンドルＢの操作によってステープルＳに上方向の力を加える引き上げ部材Ｃとを備えている。押さえ部材Ａ２は、左右の押さえ部３、４を備えており、これら左右の押さえ部３、４間に引き上げ部材Ｃの引き上げ部ｃ１が配されている。また、ステープルリムーバＲは、引き上げ部材Ｃの上側に配され当該引き上げ部材Ｃと協働してステープルＳを挟持し得る上押さえ部材Ｄを備えている。そして、下ハンドルＢの操作端ｂｅを上ハンドルＡの方向に引き上げるように回動させることにより、引き上げ部材Ｃの引き上げ部ｃ１と上押さえ部材Ｄの上押さえ部ｄ１との離間距離が漸次小さくなるように移動し得るように構成されている。
【００２４】
以下、ステープルリムーバＲの各構成について詳述する。
【００２５】
上ハンドルＡは、使用者の手（親指や手のひら）が主として添接し得る部位をなす上ハンドル本体Ａ１と、この上ハンドル本体Ａ１の前側の下端部に設けられ下面が用紙Ｐに添接し得るように構成された押さえ部材Ａ２とを備えている。
【００２６】
上ハンドル本体Ａ１は、合成樹脂により形成され外装カバーを兼ねた外本体要素１と、金属により形成され天壁２１、及び、天壁２１の両側端から垂下した左右の側壁２２とを主体に構成された内本体要素２とを備えている。内本体要素２は、外本体要素１の内側に取り付けられている。
【００２７】
外本体要素１は、前端部に上押さえ部材Ｄの上押さえ部ｄ１を外部に突出させるための切欠部１１ａを有した前壁１１と、前壁１１の後端部に連続して設けられた天壁１２と、これら前壁１１の両側端から後方、及び、天壁１２の両側端から下方に向かって延びた側壁１３と、天壁１２の後端から下方に垂下した後壁１４とを備えており、これら前壁１１、天壁１２、側壁１３、及び、後壁１４が合成樹脂により一体に形成されている。なお、前壁１１と天壁１２とは外面が面一に連続しており、前壁１１と天壁１２とによって基本壁を構成する。外本体要素１における前壁１１の内面側には、弾性体である巻きバネｍ１により付勢された上押さえ部材Ｄの回動を規制する規制部１１ｂが突設されている。左右の側壁１３には、下ハンドルＢを上ハンドル本体Ａ１に対して支持するためのハンドル支持軸ｊ１が挿通される軸挿通孔ｎ１が形成されている。
【００２８】
内本体要素２は、略下向きチャンネル状をなしている。内本体要素２における左右の側壁２２は、下ハンドルＢを回動可能に支持するためのハンドル支持軸ｊ１が挿通される軸挿通孔ｎ２と、ハンドル支持軸ｊ１用の軸挿通孔ｎ２の前側に設けられ引き上げ部材Ｃ、及び、上押さえ部材Ｄを回動可能に支持するための部材支持軸ｊ２が挿通される軸挿通孔ｎ３と、上押さえ部材Ｄを付勢するための巻きバネｍ１を支持するためのバネ支持軸ｊ３が挿通される軸挿通孔ｎ４と、内方に突出し下ハンドルＢが所定の位置に移動した段階で当該下ハンドルＢに当接して、下ハンドルＢの回動を規制する突部ｔ１とを備えている。
【００２９】
押さえ部材Ａ２は、左右の押さえ部３、４と、これら左右の押さえ部３、４の前端部同士を連結した先端部５とを備えている。先端部５、及び、左右の押さえ部３、４の少なくとも前部が、ステープルＳの内側すなわちステープルＳにおけるクラウン部ｓ１と用紙Ｐとの間に挿入され得るように構成されている。先端部５、及び、左右の押さえ部３、４の前部は、ステープルＳと用紙Ｐとの間に入り込みやすいように薄肉状に形成されている。左右の押さえ部３、４は、平面視において略対象形状をなしている。これら左右の押さえ部３、４の前後方向中間部における外縁には、ステープルＳ内への挿入度合いを示唆するためのくびれ部分３１、４１を備えている。先端部５の外縁は、平面視において滑らかな円弧状をなしている。
【００３０】
押さえ部材Ａ２は、用紙Ｐに添接し得る下面部分を有したものであり、この実施形態では、プレート状をなす金属製の部材により形成されている。先端部５、及び、左右の押さえ部３、４を有した押さえ部材Ａ２の前部は、平面視において前側に向かって漸次幅狭になるようなコーン状の形態をなしている。押さえ部材Ａ２の前側の部位、すなわち、先端部５の後、及び、左右の押さえ部３、４の内側には、引き上げ部材Ｃの引き上げ部ｃ１が位置し得る開口部ｓｐが設けられている。開口部ｓｐの形状は、引き上げ部材Ｃの引き上げ部ｃ１の形状に略対応した大きさのものとなっている。すなわち、開口部ｓｐは、前側に向かって漸次幅狭になるコーン状の形態をなしている。押さえ部材Ａ２は、上ハンドル本体Ａ１に取り付けられている。より具体的には、押さえ部材Ａ２の後側の部位は、内本体要素２における側壁２２の下端に連設された鍔部２３に複数のネジｖによって螺着されている。
【００３１】
下ハンドルＢは、ハンドル支持軸ｊ１を介して上ハンドルＡに対して回動可能に支持されている。下ハンドルＢは、底壁ｂ１と、底壁ｂ１の左右両端から立設された左右の側壁ｂ２とを備えている。これら底壁ｂ１と側壁ｂ２とは、金属により一体に構成されている。左右の側壁ｂ２には、ハンドル支持軸ｊ１が挿通される軸挿通孔ｎ５が設けられている。左右の側壁ｂ２における軸挿通孔ｎ５よりも前側の部位には、引き上げ部材Ｃと係わりあって当該引き上げ部材Ｃを駆動する駆動部材たる軸部材ｂ３が架設されている。左右の側壁ｂ２における軸挿通孔ｎ５よりも上側の部位には、所定の位置において上ハンドルＡの突部ｔ１に当接し得る係合部ｔ２が設けられている。この実施形態では、係合部ｔ２は、左右の側壁ｂ２における上端縁に突設されている。
【００３２】
下ハンドルＢと上ハンドルＡとの間には、弾性体である巻きバネｍ２が介設されている。この巻きバネｍ２は、上ハンドルＡに対する下ハンドルＢ、引き上げ部材Ｃ、及び、上押さえ部材Ｄの位置を、初期状態（ｓ）に復帰させるためのものである。巻きバネｍ２は、中間部がハンドル支持軸ｊ１を介して上ハンドルＡに支持されており、一方の端部側の部位である上側の部位が内本体要素２の天壁２１の下面に弾性的に接続するとともに、他方の端部側の部位である下側の部位が下ハンドルＢの底壁ｂ１に弾性的に接続するようになっている。
【００３３】
上ハンドルＡと下ハンドルＢとの間には、初期状態（ｓ）において引き上げ部ｃ１の上面ｃ１１を、左右の押さえ部３、４の上面３ｓ、４ｓと略面一になる位置又は左右の押さえ部３、４よりも低い位置に位置させる位置決め機構Ｋが設けられている。この実施形態では、位置決め機構Ｋが、上ハンドルＡにおける内本体要素２に設けられた突部ｔ１と、下ハンドルＢにおける側壁ｂ２に設けられた係合部ｔ２と、上ハンドルＡと下ハンドルＢとの間に介設された巻きバネｍ２とを主体に構成されている。すなわち、下ハンドルＢにおける操作端ｂｅは、巻きバネｍ２の弾性付勢力によって、使用者の非操作状態においては、操作端ｂｅが上ハンドルＡから離れる方向に回動する。そして、下ハンドルＢの操作端ｂｅが、所定の位置に到達した段階で、位置決め機構Ｋを構成する突部ｔ１と係合部ｔ２とが当接し、それ以降は下ハンドルＢの操作端ｂｅが上ハンドルＡから離れる方向に回動することが禁止されるようになっている。このとき、下ハンドルＢと係合している引き上げ部材Ｃは、引き上げ部ｃ１の先端部分ｆが、左右の押さえ部３、４の上面３ｓ、４ｓと略面一になる位置、又は、左右の押さえ部３、４よりも低い位置に位置した状態で、停止するようになっている。
【００３４】
引き上げ部材Ｃは、金属製のものであり、前側に位置し初期状態（ｓ）において左右の押さえ部３、４間に配される引き上げ部ｃ１と、この引き上げ部ｃ１の後に設けられブロック状をなす基部ｃ２とを備えている。
【００３５】
引き上げ部ｃ１は、平面視においてコーン状又は略三角形状をなしており、上面ｃ１１側に前後方向に延びる突出部ｃ１２が設けられている。この突出部ｃ１２は、上押さえ部材Ｄにおける上押さえ部ｄ１の下面側に設けられた溝ｄ１１に入ることができるように構成されており、引き上げ部ｃ１と上押さえ部ｄ１とが協働してステープルＳのクラウン部ｓ１をより確実に挟むことができるように構成されている。引き上げ部ｃ１における前側部分ｐ１の厚み寸法は、対応する左右位置における左右の押さえ部３、４の厚み寸法と略同一又はそれよりも小さな値に設定されている。
【００３６】
基部ｃ２は、側面視における前後方向、及び、上下方向中間部に設けられ部材支持軸ｊ２を挿通するための軸挿通孔ｎ６と、この軸挿通孔ｎ６よりも後ろ側の部位に設けられ下ハンドルＢの軸部材ｂ３が係わり得る溝状の軸部材係合部ｔ３と、平面視における左右方向中間部を下方に向かって凹ませて構成され上押さえ部材Ｄの基端部ｄ２を配設し得る収容部ｃ２１とを備えている。収容部ｃ２１を設けることにより、同一の部材支持軸ｊ２によって、上押さえ部材Ｄも回動可能に支持し得るように構成してある。
【００３７】
上押さえ部材Ｄは、引き上げ部材Ｃの上側に配されている。上押さえ部材Ｄは、引き上げ部材Ｃと協働してステープルＳのクラウン部ｓ１を挟持し得る上押さえ部ｄ１と、この上押さえ部ｄ１の後側に配され部材支持軸ｊ２を挿通するための軸挿通孔ｎ７が設けられた基端部ｄ２と、この基端部ｄ２の上側に配され巻きバネｍ１によって押圧され前側に向かって付勢されるバネ係合部ｄ３とを備えている。
【００３８】
上押さえ部材Ｄは、巻きバネｍ１によって上押さえ部ｄ１が引き上げ部材Ｃの引き上げ部ｃ１方向に回動し得るように付勢されている。バネ係合部ｄ３の前面は、所定の位置において、上ハンドルＡにおける外本体要素１の規制部１１ｂに当接するようになっており、上押さえ部材Ｄの回動が規制されている。すなわち、バネ係合部ｄ３の後面は、巻きバネｍ１と接しており、バネ係合部ｄ３は巻きバネｍ１によって前側に押されているが、所定の位置で回動が規制されているため、初期状態（ｓ）において、上押さえ部材Ｄの上押さえ部ｄ１の下面は、引き上げ部材Ｃの引き上げ部ｃ１と離間した状態が維持されている。
【００３９】
次いで、本実施形態におけるステープルリムーバＲの作動について、図４〜６を参照して説明する。
【００４０】
ステープルリムーバＲは、図４に示すように、引き上げ部ｃ１と上押さえ部ｄ１とが離間した初期状態（ｓ）と、図５に示すように、ステープルＳを引き上げた引き上げ部ｃ１と上押さえ部ｄ１とが協働してステープルＳを挟み得る挟み状態（ｈ）と、図６に示すように、ステープルＳを挟んだ状態にある引き上げ部材Ｃと上押さえ部材ＤとがステープルＳを用紙Ｐから引き抜く方向に一体的に移動する引き抜き状態（ｎ）とを採り得るように構成されている。
【００４１】
ステープルリムーバＲの初期状態（ｓ）は、使用者が、手指によって下ハンドルＢに荷重していない状態である。この状態では、下ハンドルＢは、巻きバネｍ２の弾性反発力によって、操作端ｂｅが上ハンドルＡから離れる方向に付勢されている。初期状態（ｓ）では、下ハンドルＢの係合部ｔ２と上ハンドルＡの突部ｔとが当接した状態で下ハンドルＢと上ハンドルＡとの相対位置が固定されている。下ハンドルＢの軸部材ｂ３は、引き上げ部材Ｃにおける基部ｃ２の軸部材係合部ｔ３と係わり合っている。このとき、引き上げ部材Ｃにおける引き上げ部ｃ１の先端部分ｆが、押さえ部材Ａ２における左右の押さえ部３、４間に位置するように設定されている。すなわち、初期状態（ｓ）では、引き上げ部ｃ１における先端部分ｆの上面ｃ１１は、側面視において、左右の押さえ部３、４における上面ｓ３、ｓ４と略同じか、又は、それよりも低い位置に位置するように設定されている。
【００４２】
この初期状態（ｓ）から挟み状態（ｈ）に遷移していく。
【００４３】
ステープルリムーバＲの挟み状態（ｈ）では、使用者が、手指によって下ハンドルＢに巻きバネｍ２の弾性反発力に抗して荷重し、下ハンドルＢの操作力が引き上げ部材Ｃに伝達されている。その結果、基部ｃ２が下方向に回動するとともに引き上げ部ｃ１がステープルＳとともに上方向に回動（上押さえ部材Ｄ方向に移動）する。引き上げ部ｃ１が上動していくと、ステープルＳのクラウン部ｓ１を、上押さえ部材Ｄの上押さえ部ｄ１と協働して挟むことになる。初期状態（ｓ）において押さえ部材Ａ２の開口部ｓｐ内に位置していた引き上げ部材Ｃの引き上げ部ｃ１は、左右の押さえ部３、４よりも上に移動し、ステープルＳを用紙Ｐから引き上げる。そして、引き上げ部ｃ１は、上押さえ部材Ｄの上押さえ部ｄ１に近接し、上押さえ部ｄ１と協働してステープルＳのクラウン部ｓ１を挟むことになる。この挟み状態（ｈ）に至ると、取り除き対象であるステープルＳは、引き上げ部材Ｃと上押さえ部材Ｄとによって挟持されていることになる。使用者は、挟み状態（ｈ）に至った段階で、ステープルリムーバＲ全体を用紙Ｐから離れる方向に移動させ、ステープルＳを用紙Ｐから外すことも可能となる。
【００４４】
次いで、挟み状態（ｈ）から引き抜き状態（ｎ）に遷移していく。
【００４５】
引き抜き状態（ｎ）では、使用者が、挟み状態（ｈ）からさらに手指によって下ハンドルＢに対して巻きバネｍ２の弾性反発力に抗して荷重を継続する。そして、ステープルＳのクラウン部ｓ１を引き上げ部ｃ１と上押さえ部ｄ１とによって挟み、そのままの状態（ステープルＳを挟んだ状態）で、引き上げ部材Ｃと上押さえ部材Ｄとをともに部材支持軸ｊ２を中心に回動させる。このようにして、ステープルＳは、用紙Ｐから引き抜かれた状態となる。引き上げ部材Ｃと上押さえ部材Ｄは、共通の軸である部材支持軸ｊ２によって上ハンドルＡに対して回動し得るようになっている。上押さえ部材Ｄは、巻きバネｍ１によって、上押さえ部ｄ１が引き上げ部ｃ１に向かう方向に付勢されているが、初期状態（ｓ）では、上押さえ部材Ｄは、上ハンドルＡの規制部１１ｂによって移動が規制されているため、上押さえ部ｄ１と引き上げ部ｃ１とは当接していない状態を採っている。挟み状態（ｈ）から使用者が下ハンドルＢの操作を継続すると、下ハンドルＢから操作力が伝達された引き上げ部材Ｃが、上押さえ部材Ｄを巻きバネｍ１の弾性反発力に抗して押し上げることになる。
【００４６】
以上説明したように、本実施形態に係るステープルリムーバＲは、複数枚の用紙Ｐを綴じた綴じ部材たるステープルＳを用紙Ｓから取り除くためのものである。そして、用紙Ｐに添接する押さえ部材Ａ２を有した上ハンドルＡ１と、上ハンドルＡ１の下側に配された下ハンドルＢと、ステープルＳと係わり合い下ハンドルＢの操作によってステープルＳに上方向の力を加える引き上げ部材Ｃとを備えている。押さえ部材Ａ２が、左右の押さえ部３、４を備えており、これら左右の押さえ部３、４間に引き上げ部材Ｃの引き上げ部ｃ１が配されている。このため、用紙Ｐを押さえやすく、操作性にすぐれ、好適にステープルＰを用紙Ｐから取り除くことができるステープルリムーバＲを提供することができるものとなる。つまり、上ハンドルＡに押さえ部材Ａ２を備えたものとしているので、用紙Ｐを使用者の荷重を利用して押さえ易いものとなっている。また、下ハンドルＢの操作によって、引き上げ部材Ｃが動くように構成されているものであるため、操作者の操作性に優れたものとなっている。さらに、左右の押さえ部３、４間にステープルＳを上方向に引き上げる引き上げ部材Ｃの引き上げ部ｃ１が配されているため、用紙Ｐを傷つけることなく好適にステープルＳを用紙Ｐから取り除くことができるものとなる。
【００４７】
押さえ部材Ａ２が、左右の押さえ部３、４と、これら左右の押さえ部３、４の前端部同士を連結した先端部５とを備えている。そして、これら左右の押さえ部３、４と先端部５とが、ステープルＳの内側すなわち、ステープルＳのクラウン部ｓ１と用紙Ｐとの間に挿入されるように構成されている。このため、ステープルＳと用紙Ｐとの間に、先端部５を差し入れ、その後、左右の押さえ部３、４を挿入しやすいものとなっている。
【００４８】
引き上げ部ｃ１の厚み寸法が、左右の押さえ部３、４の厚み寸法と略同一又はそれよりも小さな値に設定されている。このため、ステープルＳと用紙Ｐとの間に、左右の押さえ部３、４を挿入する際に、引き上げ部ｃ１が邪魔になることが好適に抑制され得るものとなる。
【００４９】
引き上げ部材Ｃの上側に配され当該引き上げ部材Ｃと協働してステープルＳＳを挟持し得る上押さえ部材Ｄを備えている。このため、ステープルＳを用紙Ｐから取り除く際に、取り除かれたステープルＳが用紙Ｐから勢いよく飛び出てしまい、例えば、見失ってしまうようなことが好適に抑制され得るものとなる。
【００５０】
下ハンドルＢの操作端ｂｅを上ハンドルＡの方向に操作することにより、引き上げ部材Ｃが、上押さえ部材Ｄとの離間距離が漸次小さくなるように移動し得るように構成されている。このため、使用者の把持する動作によって、引き上げ部材Ｃを上押さえ部材Ｄ方向に操作し得るものとなり、快適なステープルＳの引き抜き操作を実施することができるものとなる。
【００５１】
上押さえ部材Ｄが、弾性体たる巻きバネｍ１によって引き上げ部材Ｃ方向に付勢されている。このため、上押さえ部Ｄが、引き上げ部材Ｃと協働して、好適にステープルＳを挟持し得るものとなる。
【００５２】
上ハンドルＡと下ハンドルＢとの間に、初期状態（ｓ）において引き上げ部ｃ１の上面ｃ１１を左右の押さえ部３、４の上面３ｓ、４ｓと略面一になる位置、又は、左右の押さえ部３、４よりも低い位置に位置させる位置決め機構が設けられている。このため、初期状態（ｓ）において、下ハンドルＢを特別に操作することなく、ステープルＳ内に引き上げ部ｃ１、及び、左右の押さえ部３、４を挿入することができるものとなる。
【００５３】
引き上げ部ｃ１と上押さえ部ｄ１とが離間した初期状態（ｓ）と、ステープルＳを引き上げた引き上げ部ｃ１と上押さえ部ｄ１とが協働してステープルＳを挟み得る挟み状態（ｈ）と、ステープルＳを挟んだ状態にある引き上げ部材Ｃと上押さえ部材ＤとがステープルＳを用紙Ｐから引き抜く方向に一体的に移動する引き抜き状態（ｎ）とを採り得るように構成されている。このため、初期状態（ｓ）、挟み状態（ｈ）、及び、引き抜き状態（ｎ）を順次経て、ステープルＳを好適に用紙Ｐから引き抜くことができるものとなる。
【００５４】
なお、本発明は、以上に詳述した実施形態に限られるものではない。
【００５５】
用紙は、シート状になっているものであれば、どのようなものであってもよい。用紙としては、紙製のものの他、プラスチック製や金属製のものも含まれる。
【００５６】
綴じ部材は、ステープルに限られるものではなく、用紙を綴じるための紐状やテープ状をなす部材であってもよい。
【００５７】
ステープルは、金属製のステープルに限られるものではなく、樹脂や紙等の種々の材質により作られたものであってもよい。
【００５８】
その他、各部の具体的構成についても上記実施形態に限られるものではなく、本発明の趣旨を逸脱しない範囲で種々変形が可能である。
【符号の説明】
【００５９】
Ｒ…ステープルリムーバ（綴じ部材リムーバ）
Ａ…上ハンドル
Ａ２…押さえ部材
３…左の押さえ部
４…右の押さえ部
Ｂ…下ハンドル
Ｃ…引き上げ部材
ｃ１…引き上げ部
Ｐ…用紙
Ｓ…ステープラ（綴じ部材）
【図１】
2017136647.tif 000003
【図２】
2017136647.tif 000004
【図３】
2017136647.tif 000005
【図４】
2017136647.tif 000006
【図５】
2017136647.tif 000007
【図６】
2017136647.tif 000008
【図７】
2017136647.tif 000009
【図８】
2017136647.tif 000010
【図９】
2017136647.tif 000011
【図１０】
2017136647.tif 000012